(57)【特許請求の範囲】
【請求項１】
一次選出手段と、ジャンル抽出手段と、ジャンル提示手段と、映像抽出手段を備え、カラオケデータに基づいて楽曲を演奏する際に背景映像データベースから抽出した背景映像を歌詞映像とともに表示するカラオケ装置における背景映像選択システムであって、
各楽曲のカラオケデータには、時代記述子が対応付けされており、
背景映像データベースには、時代区分索引テーブルと、ジャンル索引テーブルが付属し、
時代区分索引テーブルは、背景映像データベースにおける映像区間を特定する区間情報と、時代記述子とを対応付けし、
ジャンル索引テーブルは、背景映像データベースにおける映像区間を特定する区間情報と、ジャンル記述子とを対応付けし、
一次選出手段は、ある楽曲のカラオケデータを演奏する際、当該カラオケデータに対応付けされた時代記述子を抽出し、当該時代記述子に基づいて時代区分索引テーブルを検索し、当該時代記述子に適合する区間情報を複数抽出し、
ジャンル抽出手段は、一次選出手段が抽出した複数の区間情報に基づいてジャンル索引テーブルを検索し、それら区間情報に該当するジャンル記述子を複数抽出し、
ジャンル提示手段は、ジャンル抽出手段が抽出した複数のジャンル記述子に基づいて複数のジャンルを選択肢として利用者に提示し、ジャンルを特定する利用者入力を受け付け、
映像抽出手段は、ジャンル提示手段が受け付けたジャンル特定利用者入力に基づいて、一次選出手段が抽出した複数の区間情報の中から該当するジャンル記述子が対応付けされた区間情報を選出し、選出した区間情報に基づいて背景映像データベースから背景映像を抽出して歌詞映像とともに表示する
カラオケ装置における背景映像選択システム。
【発明の詳細な説明】
【０００１】
【発明が属する技術分野】
この発明は、カラオケ伴奏音楽を音響出力するとともに適宜な背景映像を伴った歌詞映像を表示するカラオケ装置に関し、とくに、個々の楽曲が流行したり話題になったりした時代にふさわしい背景映像を共用の映像データベースから選択して表示する背景映像選択システムに関する。
【０００２】
【従来の技術】
一般的な通信タイプのカラオケ装置では、各楽曲に固有の背景映像をもたせているわけではなく、ＣＤ−ＲＯＭやＤＶＤ−ＲＯＭに収録してある共用の背景映像を各楽曲で使い回している。その際に、楽曲の内容や雰囲気と背景映像とが極端なミスマッチにならないように、いろいろと工夫をしている。
【０００３】
たとえば、楽曲ごとに使用する背景映像を事前に決めておき、カラオケ楽曲の演奏時系列上で表示すべき映像区間を順次指定する背景選択データを各楽曲のカラオケデータに付随させる方式がある。この方式によれば、ある楽曲を演奏するときには必ず決まった背景映像が表示される。
【０００４】
別の方式では、カラオケデータベースの索引情報として音楽ジャンル記述子（演歌・ポップス・民謡などの区分）を付与しておくとともに、背景映像データベースの各映像区間にも演歌用映像・ポップス用映像・民謡用映像といった音楽ジャンル記述子を付与しておき、演奏する楽曲の音楽ジャンルに適合する背景映像をランダムに選択して表示するような方式が採られている。この方式によれば、同一の楽曲でも演奏するごとに違う背景映像が表示される。
【０００５】
【発明が解決しようとする課題】
背景映像データベースのコンテンツを徐々に増やしていくような通信カラオケシステムを想定すると、楽曲と背景映像とを固定的に結びつけない後者の方式のほうが、豊富化していく映像コンテンツを既存の楽曲にも活用できるという点で優れている。最近では、つぎつぎと制作される新しい映像をカラオケ背景映像に取り入れたり、古い映画やテレビ番組あるいはニュース映像などの保存されている過去の映像をカラオケ背景映像に取り入れたりするための、著作権などの問題に関連した環境が良好になりつつある。また、ディジタル映像に関わる蓄積再生技術や通信技術の進展も、カラオケ背景映像の豊富化を後押ししている。
【０００６】
カラオケの背景映像を見ることは、とくに歌を聞いている人にとって大きな楽しみになっている。この背景映像を充実した内容豊富なものにすることはカラオケの商品性を大きく高めることにつながる。
【０００７】
カラオケを楽しんでいる場面では時代が話題になることが多い。たとえば同年輩のグループでカラオケを歌い、その曲が流行していた時代の出来事や思い出をテーマに話がはずんで盛り上がる、という経験をした人は多いだろう。このような場面にて、ある楽曲を歌うときにその楽曲にふさわしい時代の映像が背景になれば、カラオケをきっかけにした思い出話の盛り上がりに拍車をかけることになる。
【０００８】
この発明は、以上のような観点に基づいてなされたもので、その目的は、個々の楽曲が流行したり話題になったりした時代にふさわしい背景映像を共用の映像データベースから選択して表示するようにし、かつ、背景映像データベースのコンテンツがどんどん追加されて内容が豊富化することを利用者サービスにすぐに反映させることができるようにしたカラオケ装置における背景映像選択システムを提供することにある。
【０００９】
【課題を解決するための手段】
この発明に係るカラオケ装置における背景映像選択システムは、便宜的に分説すると、つぎの事項（１）〜（９）により特定されるものである。
（１）一次選出手段と、ジャンル抽出手段と、ジャンル提示手段と、映像抽出手段を備え、カラオケデータに基づいて楽曲を演奏する際に背景映像データベースから抽出した背景映像を歌詞映像とともに表示するカラオケ装置における背景映像選択システムであること
（２）各楽曲のカラオケデータには、時代記述子が対応付けされていること
（３）背景映像データベースには、時代区分索引テーブルと、ジャンル索引テーブルが付属すること
（４）時代区分索引テーブルは、背景映像データベースにおける映像区間を特定する区間情報と、時代記述子とを対応付けすること
（５）ジャンル索引テーブルは、背景映像データベースにおける映像区間を特定する区間情報と、ジャンル記述子とを対応付けすること
（６）一次選出手段は、ある楽曲のカラオケデータを演奏する際、当該カラオケデータに対応付けされた時代記述子を抽出し、当該時代記述子に基づいて時代区分索引テーブルを検索し、当該時代記述子に適合する区間情報を複数抽出すること
（７）ジャンル抽出手段は、一次選出手段が抽出した複数の区間情報に基づいてジャンル索引テーブルを検索し、それら区間情報に該当するジャンル記述子を複数抽出すること
（８）ジャンル提示手段は、ジャンル抽出手段が抽出した複数のジャンル記述子に基づいて複数のジャンルを選択肢として利用者に提示し、ジャンルを特定する利用者入力を受け付けること
（９）映像抽出手段は、ジャンル提示手段が受け付けたジャンル特定利用者入力に基づいて、一次選出手段が抽出した複数の区間情報の中から該当するジャンル記述子が対応付けされた区間情報を選出し、選出した区間情報に基づいて背景映像データベースから背景映像を抽出して歌詞映像とともに表示すること
【００１２】
【発明の実施の形態】
＝＝＝カラオケ装置の構成例＝＝＝
この発明を適用した通信カラオケ装置のハードウェア主体の構成例を図１に示している。カラオケ装置はパソコン相当のコンピュータ応用機器であって、中央処理装置１がＣＰＵ・ＲＡＭ・ＲＯＭを含んだコンピュータ本体であり、大容量の外部記憶としてハードディスク装置２とＣＤ−ＲＯＭ再生装置３とＤＶＤ−ＲＯＭ再生装置４を備える他、加入者電話回線またはＩＳＤＮ回線を介してカラオケホスト装置と通信する通信制御装置５と、利用者からの入力と利用者に向けての応答とをやりとりする利用者インタフェース装置６と、ＭＩＤＩデータを主体にした音楽演奏データに基づいて伴奏音楽の音響信号を生成する音楽生成装置７と、伴奏音楽やマイクロホンからの音響信号を増幅してスピーカから発音する音響装置８と、ＣＲＴやＬＣＤあるいはＰＤＰなどを用いたディスプレイ９と、このディスプレイ９に表示すべき映像データを処理する映像処理装置１０とを備えている。ＣＤ−ＲＯＭ再生装置３には多数のＣＤ−ＲＯＭが着脱交換自在に装填されており、これらのディスクをチェンジャにより選択的に再生する複数台のディスクドライブを備えたものである。
【００１３】
＝＝＝データベースの構成例＝＝＝
この実施例のカラオケ装置は、カラオケデータベースと背景映像データベースを保有しており、中央処理装置1はこれらのデータベースについての台帳をハードディスク装置２に作成して管理している。
【００１４】
カラオケデータベースは、ハードディスク装置２とＣＤ−ＲＯＭ再生装置３とＤＶＤ−ＲＯＭ再生装置４を記憶資源として用いて構築されており、音楽演奏データや歌詞データを含む多数曲分のカラオケデータを楽曲ＩＤをキーとして集約管理するものである。とくに本実施例において、カラオケデータベースの台帳における索引情報には、各楽曲が流行したり話題になったりした時代（年月あるいは数年から数十年の期間で表され、互いに前後の比較が可能である）を示す時代記述子が付与されている。
【００１５】
背景映像データベースはＣＤ−ＲＯＭ再生装置３を主な記憶資源として用いて構築されており、実写の動画やＣＧ画像などにより制作編集されたＭＰＥＧ形式などの長時間分の背景映像データがこのデータベースに含まれている。背景映像データは、たとえばディスク番号・トラック番号といった区分ＩＤにより短く区切って特定できるようになっている。つまり、多数の映像区分が区分ＩＤをキーとして集約されて管理されている。とくに本実施例においては、背景映像データの特定の区間（映像区間）を始点の区分ＩＤと終点の区分ＩＤからなる区間情報によって管理されている。
【００１６】
中央処理装置１がハードディスク装置２内に作成・管理している背景映像データベースの台帳における索引情報の論理構成を図２に例示した。索引情報としては、ジャンル索引テーブルと時代区分索引テーブルの2種類が含まれている。ジャンル索引テーブルは、春夏秋冬・スポーツ・料理などといった背景映像の内容（ジャンル）に基づいて割り当てたジャンル記述子を、背景映像データの区間情報に対応づけて記録したものである。また時代区分索引テーブルは、背景映像で表現されている時代に基づいて割り当てた時代記述子を背景映像データの区間情報に対応づけて記録したものである。
【００１７】
＝＝＝カラオケデータの基本処理＝＝＝
中央処理装置１は、利用者インタフェース装置６を介して楽曲のリクエストを受け取ると、リクエストの入力順に楽曲のＩＤを待ち行列で管理している。演奏すべき楽曲のＩＤが決まると、その楽曲ＩＤに対応するカラオケデータをカラオケデータベースから取り出し、含まれている音楽演奏データを音楽生成装置７に転送することにより伴奏音楽を生成させる。生成された伴奏音楽と、マイクロホンにより採取した歌唱者の歌唱音声とを音響装置８にて混合し、スピーカから音響出力する。これらの一連の伴奏音楽生成処理に先立って後述の背景映像の選出処理を行い、ディスプレイ９には歌唱すべき箇所の色変えをともなった歌詞映像とともに、選出された背景映像を表示する。
【００１８】
＝＝＝背景映像の選出＝＝＝
演奏の待ち行列の管理により次に演奏すべき楽曲が決まると、中央処理装置１はその楽曲の演奏準備を開始し、楽曲の索引情報に含まれる時代記述子を取り出して、前述の背景映像データの時代区分索引テーブルと対照する。そして、時代記述子が一致または重なりがある映像区間を取り出してその区間情報をＲＡＭ等に一時記憶させる。
【００１９】
次に、カラオケ楽曲の時代記述子と一致または重なりがあった映像区間について、ジャンル索引テーブルを参照してその区間の全体または一部に割り当てられているジャンル記述子を取り出し、区間情報とともに一時記憶する。そして、取り出したジャンル記述子に対応する春夏秋冬・スポーツ・料理などのジャンルをディスプレイ９に一覧的に表示して利用者に提示し、所定の利用者インタフェースに基づいて利用者に希望する背景映像のジャンルを選択入力させる。
【００２０】
たとえば背景映像データの区分ＩＤとしてａ、ｂ、ｃ、ｄ、ｅ、ｆ、ｇ、ｈがこの順で時間的に後になるとして、カラオケ楽曲の時代記述子と一致または重なりがあった映像区間は、始点の区分ＩＤがｂ、終点の区分ＩＤがｄ（すなわち、この映像区間の区間情報はｂ〜ｄ）の区間と、始点の区分ＩＤがｆ、終点の区分ＩＤがｈ（区間情報はｆ〜ｈ）の２区間であったとする。これに対して、ジャンル索引テーブルによれば、ジャンル記述子Ａの映像区間の区間情報がａ〜ｃ、ジャンル記述子Ｂの映像区間の区間情報がｃ〜ｅ、ジャンル記述子Ｃの映像区間の区間情報がｅ〜ｇとする。このとき前述の方法によって、ジャンル記述子Ａ（区間情報はｂ〜ｃ）、Ｂ（区間情報はｃ〜ｄ）、Ｃ（区間情報はｆ〜ｇ）が取り出され、利用者にはＡ、Ｂ、Ｃに対応するジャンルが提示される。
【００２１】
利用者が選択して（たとえば前述の例のジャンル記述子Ｂに対応するジャンル）操作入力すると、選択されたジャンルに対応するジャンル記述子（前述の例ではＢ）が中央処理装置１に送信される。これにより、例えば選曲したカラオケ楽曲の内容に合わせて表示したい背景映像のジャンルを選ぶだけでなく、夏を主題にした楽曲の背景映像にその時代の年末の十大ニュースを選ぶなど、楽曲とは無関係に好みの背景映像のジャンルを選ぶことも可能である。
【００２２】
中央処理装置１がジャンル記述子（前述の例ではＢ）を受信すると、対応する映像区間（前述の例では区分ＩＤｃ〜ｄの映像区間）を取り出して映像処理装置１０に転送し、歌詞映像の背景映像としてディスプレイ９への表示処理を行う。
【００２３】
もし利用者が所定の選択操作を行わなかった場合には、利用者に提示した中からランダムに１つの映像区間を選出するようにしてもよい。
【００２４】
なお、背景映像データについて、前述した例のように、時代記述子による映像区間とジャンル記述子による映像区間とは必ずしも一致しない。１つの時代記述子を付与された映像区間について、たとえばニュース番組の映像などはスポーツニュース・天気・新商品の紹介などのさまざまな内容が含まれていて、時代記述子は1つでも複数のジャンル記述子が付与されている場合がある。逆に、歴史番組などで同じ内容について時代の遷移を追う場合など、ジャンル記述子は1つの映像区間でも複数の時代記述子が含まれる場合がある。これは、時代記述子とジャンル記述子は、同一の背景映像データに対する異なった分類の尺度だからである。
【００２５】
＝＝＝その他の実施例＝＝＝
本実施例においては、演奏すべき楽曲が決まると、背景映像データからまず楽曲の時代記述子と一致する映像区間を取り出し、その中から希望の映像のジャンルを利用者に選択させる方式を採ったが、先に利用者に希望の映像のジャンルを選択させてから、そのジャンルの映像区間の中から楽曲の時代記述子と一致するものを選出する方式を採ってもよい。楽曲の予約時にジャンルも選択させるようにしてもよいし、演奏すべき楽曲が決まってからジャンルを選択させてもよいし、楽曲の演奏順番とは無関係に、いつでもジャンルを選択・変更できるようにしておいてもよい。
【００２６】
いずれの場合にも、ジャンル記述子に基づいて取り出した映像区間の中に楽曲の時代記述子と一致する映像区間がない場合には、楽曲の時代記述子または利用者の選択したジャンル記述子のいずれかと適合する映像区間を背景映像データの中から再度選出してもよいし、時代にかかわりないジャンル毎の映像や、時代にもジャンルにもかかわりない風景の映像などをあらかじめ記憶しておいて利用するようにしてもよい。
【００２７】
【発明の効果】
この発明にかかるカラオケ装置における背景映像選択システムによれば、個々の楽曲が流行したり話題になったりした時代にふさわしい背景映像を共用の映像データベースから選択して表示することが可能となり、かつ、背景映像データベースのコンテンツがどんどん追加されて内容が豊富化することを利用者サービスにすぐに反映させることが可能となる。
【図面の簡単な説明】
【図１】この発明の一実施例に係るカラオケ装置の構成例である。
【図２】この発明の一実施例に係る背景映像データベースの台帳における索引情報の論理構成を示した。
【符号の説明】
１  中央処理装置
２  ハードディスク装置
３  ＣＤ−ＲＯＭ再生装置
４  ＤＶＤ−ＲＯＭ再生装置
５  通信制御装置
６  利用者インタフェース装置
７  音楽生成装置
８  音響装置
９  ディスプレイ
１０  映像処理装置
【図１】
0004173294.tif 000002
【図２】
0004173294.tif 000003